(57)【要約】【課題】レイアウト変更が容易にできるＰＯＳ端末装置を提供する。【解決手段】ＰＯＳ端末装置１の台座部２とレジ部３とを設ける。レジ部３には、収納部３０、ボタン群３１、ディスプレイ３２、スキャナ３３、カードリーダ３４、電子マネー読取部３５およびプリンタ３６を設ける。さらに、台座部２とレジ部３とを連結機構４によって、レジ部３がＺ軸方向を中心として台座部２に対して回転できるように連結する。店員がＰＯＳ端末装置１を操作する場合は、（＋Ｙ）方向からの操作がしやすい向きにレジ部３を回転させる。一方、顧客がＰＯＳ端末装置１を操作する場合は、（−Ｙ）方向からの操作がしやすい向きにレジ部３を回転させる。【選択図】図２
2010020370.tif 000002
【特許請求の範囲】
【請求項１】
顧客によって購入される商品の売価を積算するＰＯＳ端末装置であって、
台座部と、
操作者によって操作される操作部と、
前記操作部の前記台座部に対する向きを変更することが可能なように、前記操作部を連結する連結機構と、
を備えることを特徴とするＰＯＳ端末装置。
【請求項２】
請求項１に記載のＰＯＳ端末装置であって、
金銭を内部に収納する収納部をさらに備え、
前記連結機構は、前記操作部とともに、前記収納部の向きを変更することを特徴とするＰＯＳ端末装置。
【請求項３】
請求項１に記載のＰＯＳ端末装置であって、
金銭を内部に収納する収納部をさらに備え、
前記収納部は前記台座部に対して固定されていることを特徴とするＰＯＳ端末装置。
【請求項４】
請求項１ないし３のいずれかに記載のＰＯＳ端末装置であって、
前記操作部の向きを検出する検出手段と、
前記検出手段の検出結果に応じて、前記操作部を顧客が操作するセルフモードと前記操作部を店員が操作する接客モードとの間で動作モードを切り替える切替手段と、
をさらに備えることを特徴とするＰＯＳ端末装置。
【発明の詳細な説明】
【技術分野】
【０００１】
本発明は、ＰＯＳ端末装置の店舗内におけるレイアウトの汎用性を向上させる技術に関する。
【背景技術】
【０００２】
スーパーやコンビニエンスストア等の店舗では、顧客によって購入される商品の売価を積算するためにＰＯＳ端末装置が用いられている。店員は、顧客が購入する目的でレジカウンターに持参した商品をＰＯＳ端末装置に読み取らせるとともに、当該顧客に対して請求すべき金額（商品の購入額）を提示して、当該商品の販売代金を徴収する。なお、店舗において店員がＰＯＳ端末装置を操作する場合、顧客に対する接客重視の観点から、対面式のレジカウンターを採用するのが一般的である。
【０００３】
一方、昨今、ＰＯＳ端末装置を扱う店員の人数を削減することにより人件費を削減することを目的として、顧客が操作することを想定したＰＯＳ端末装置が登場してきた。さらには、営業形態に応じて、店員が操作する「接客モード（店員モード）」と、顧客が操作する「セルフモード」との間で、動作モードを切り替えることが可能なＰＯＳ端末装置も登場してきた。このようなＰＯＳ端末装置（レジ）が、例えば特許文献１に記載されている。
【０００４】
【特許文献１】特開２００４−２５２８６５号公報
【発明の開示】
【発明が解決しようとする課題】
【０００５】
ところが、特許文献１に記載されているＰＯＳ端末装置は、動作モードに関わらず、一方向からしか操作できない構造であり、動作モードを変更した場合でも操作者の立ち位置を変更することのできない構造となっている。
【０００６】
したがって、対面式のレジカウンターに特許文献１に記載のＰＯＳ端末装置を設置した場合、当該ＰＯＳ端末装置が接客モードのとき、操作者でない顧客は、店員と対向する位置に立つ必要がある。一方、当該ＰＯＳ端末装置がセルフモードのとき、操作者となる顧客は、接客モードにおける店員の立ち位置に立つ必要がある。すなわち、顧客は、ＰＯＳ端末装置の動作モードを判断して、動作モードに応じた位置に出向いて料金の支払いをしなければならいない。
【０００７】
また、店員の立ち位置がレジカウンター内部（顧客を立ち入らせることが好ましくない空間）に設けられることの多いコンビニエンスストア等では、ＰＯＳ端末装置を「セルフモード」に切り替える際には、ＰＯＳ端末装置全体をレジカウンターの外部（顧客側）に向ける作業が必要となる。一般に、ＰＯＳ端末装置の技術分野では、防犯上の理由から、ＰＯＳ端末装置を容易に移動させることが可能な構造とすることには消極的である。したがって、ＰＯＳ端末装置全体をレジカウンターの外部に向けるために当該ＰＯＳ端末装置を移動させる作業は、作業者にとって負担の大きな作業となる。
【０００８】
すなわち、特許文献１に記載されているＰＯＳ端末装置では、営業形態に応じて動作モードを変更することは可能であるものの、営業形態に応じたレイアウト変更に対応できないという問題があった。
【０００９】
本発明は、上記課題に鑑みてなされたものであり、レイアウト変更が容易にできるＰＯＳ端末装置を提供することを目的とする。
【課題を解決するための手段】
【００１０】
上記の課題を解決するため、請求項１の発明は、顧客によって購入される商品の売価を積算するＰＯＳ端末装置であって、台座部と、操作者によって操作される操作部と、前記操作部の前記台座部に対する向きを変更することが可能なように、前記操作部を連結する連結機構とを備えることを特徴とする。
【００１１】
また、請求項２の発明は、請求項１の発明に係るＰＯＳ端末装置であって、金銭を内部に収納する収納部をさらに備え、前記連結機構は、前記操作部とともに、前記収納部の向きを変更することを特徴とする。
【００１２】
また、請求項３の発明は、請求項１の発明に係るＰＯＳ端末装置であって、金銭を内部に収納する収納部をさらに備え、前記収納部は前記台座部に対して固定されていることを特徴とする。
【００１３】
また、請求項４の発明は、請求項１ないし３のいずれかの発明に係るＰＯＳ端末装置であって、前記操作部の向きを検出する検出手段と、前記検出手段の検出結果に応じて、前記操作部を顧客が操作するセルフモードと前記操作部を店員が操作する接客モードとの間で動作モードを切り替える切替手段とをさらに備えることを特徴とする。
【発明の効果】
【００１４】
請求項１ないし請求項４に記載の発明は、操作部の台座部に対する向きを変更することが可能なように、操作部を連結する連結機構を備えることにより、ＰＯＳ端末装置のレイアウトの汎用性が向上するとともに、レイアウトの切り替え作業を容易に行うことができる。
【００１５】
請求項３に記載の発明は、収納部は台座部に対して固定されていることにより、セキュリティを向上させることができる。
【００１６】
請求項４に記載の発明は、操作部の向きを検出する検出手段の検出結果に応じて、操作部を顧客が操作するセルフモードと操作部を店員が操作する接客モードとの間で動作モードを切り替えることにより、作業者の負担を軽減することができる。
【発明を実施するための最良の形態】
【００１７】
以下、本発明の好適な実施の形態について、添付の図面を参照しつつ、詳細に説明する。
【００１８】
＜１．  第１の実施の形態＞
図１は、第１の実施の形態におけるＰＯＳ端末装置１を示す斜視図である。また、図２は、ＰＯＳ端末装置１の正面図である。
【００１９】
なお、図１および図２において、図示および説明の都合上、Ｚ軸方向が鉛直方向を表し、ＸＹ平面が水平面を表すものとして定義する。ただし、これらの方向は位置関係を把握するために便宜上定義するものであって、以下に説明する各方向を限定するものではない。以下の各図についても同様である。
【００２０】
図１および図２に示すように、ＰＯＳ端末装置１は、台座部２、レジ部３および連結機構４を備えており、これらが互いに組み合わさって一体構造物を形成している。詳細は後述するが、ＰＯＳ端末装置１は、顧客によって購入される商品の売価を積算する装置として構成されている。なお、以下の説明において、店員によって操作されることを想定して設定されるＰＯＳ端末装置１の動作モードを「接客モード」と称し、顧客によって操作されることを想定して設定されるＰＯＳ端末装置１の動作モードを「セルフモード」と称する。
【００２１】
台座部２は、筐体２０と一対の載置台２１，２２とを備えている。台座部２は、店舗内の床面に対してレジ部３を支持する機能を有しており、いわゆる接客用のカウンターを形成している。
【００２２】
筐体２０はレジ袋や割り箸といった小物類を収納しておく複数の引き出しを備えている。これらの引き出しは必要に応じて、筐体２０の内部から（＋Ｙ）方向に引き出すことが可能である。また、筐体２０の上部には、図２に示すように、連結機構４を介してレジ部３が取り付けられている。
【００２３】
台座部２のＸ軸方向の両端部に設けられている載置台２１，２２には、精算に係る商品が載置される。顧客は店舗内を巡回しつつ、陳列されている商品（販売に供されている商品）の中から購入しようとする商品を選択して買い物カゴに投入する。そして商品の選択が終了すると、顧客は、当該商品が投入された買い物カゴを台座部２の載置台２１（または載置台２２）に置き、商品の購入代金を支払う。すなわち、顧客が購入しようとする商品は、通常、買い物カゴに投入された状態で載置台２１（または載置台２２）に載置される。
【００２４】
レジ部３は、収納部３０、ボタン群３１、ディスプレイ３２、スキャナ３３、カードリーダ３４、電子マネー読取部３５およびプリンタ３６を備えている。なお、本実施の形態におけるＰＯＳ端末装置１では、レジ部３の備えるボタン群３１、ディスプレイ３２、スキャナ３３、カードリーダ３４、電子マネー読取部３５およびプリンタ３６は、いずれもＰＯＳ端末装置１の操作者によって操作されうる構成であり、本発明の操作部に相当する。
【００２５】
図１において収納部３０の（＋Ｙ）側の面には、硬貨収受部３００および紙幣収受部３０１が設けられている。詳細は図示しないが、硬貨収受部３００は、顧客から受領した硬貨を収納部３０の内部に収納するための投入口、および、顧客に対して釣り銭としての硬貨を払い出す受け皿から構成されている。また、紙幣収受部３０１は、顧客から受領した紙幣を収納部３０の内部に収納するとともに、顧客に対して釣り銭としての紙幣を払い出す機能を有している。すなわち、硬貨収受部３００および紙幣収受部３０１は、操作者によって貨幣の出し入れ操作がされるため、本発明における操作部に相当する。
【００２６】
詳細は図示していないが、ボタン群３１は複数のキー（操作ボタン）を備えている。本実施の形態におけるボタン群３１は、ＰＯＳ端末装置１の基本設定等を変更するために操作される。すなわち、ボタン群３１は、店舗側の操作者（作業者または店員等であって顧客ではない者）にのみ操作を許可すべき操作部である。したがって、本実施の形態におけるＰＯＳ端末装置１では、接客モードにおいてボタン群３１が有効に設定され、セルフモードにおいてボタン群３１が無効に設定される。
【００２７】
ディスプレイ３２は、タッチパネル式の液晶パネルであって、制御部１０による制御に従って各種情報を画面に表示するとともに、操作者が画面の所定位置に触れることによって、所定の情報が入力できるように構成されている。すなわち、ディスプレイ３２は、操作者によって所定の情報についての入力操作がされるため、先述のように、本発明における操作部に相当する。
【００２８】
スキャナ３３は、個々の商品に添付されているバーコードを読み取ることにより、商品情報を取得する。店舗で扱う商品には、それぞれバーコードが印字されるか、あるいはバーコードが印字されたラベルが貼付されている。商品に添付されるバーコードは、当該商品を個々に識別するための識別コードを形成しており、ＰＯＳ端末装置１は、識別コードによって示される商品の商品情報（商品名や売価等）を検索できるように構成されている。すなわち、スキャナ３３は、操作者によってバーコードの読み取り操作がされるため、先述のように、本発明における操作部に相当する。
【００２９】
なお、商品に添付されているバーコードに含まれる情報は識別コードに限定されるものではなく、商品の売価を示す情報やチェックデジット等が含まれていてもよい。また、バーコードを添付できない一部の商品については、先述のディスプレイ３２に表示されるタッチボタンを操作者が操作することにより、当該商品の識別コードがＰＯＳ端末装置１に入力される。
【００３０】
カードリーダ３４は、顧客が持参するカード（会員カードやポイントカード、クレジットカード等）から情報を読み取る。すなわち、カードリーダ３４は、操作者によってカードに記憶されている情報の読み取り操作がされるため、先述のように、本発明における操作部に相当する。
【００３１】
電子マネー読取部３５は、顧客が所持する電子マネー端末から、当該顧客が購入した商品の代金を引き落とすことにより、電子決済を実現するための機能を有している。すなわち、電子マネー読取部３５は、操作者によって電子マネーの読み取り操作がされるため、先述のように、本発明における操作部に相当する。
【００３２】
本実施の形態における電子マネー読取部３５はＰＯＳ端末装置１の本体部とケーブル（図示せず）で接続されており、収納部３０に固設されることなく、収納部３０の上部に載置されている。すなわち、本実施の形態における電子マネー読取部３５は、収納部３０に対して容易に向きを変更できる構造となっている。
【００３３】
プリンタ３６は、購入商品や売価のリストおよび合計金額等を印字してレシートを発行する機能を備えている。プリンタ３６によって発行されたレシートは、接客モードにおいては店員によって受け取られ顧客に手渡される。一方、セルフモードでは、顧客によって直接受け取られる。すなわち、プリンタ３６は、操作者によってレシートの受け取り操作がされるため、先述のように、本発明における操作部に相当する。
【００３４】
連結機構４は、レジ部３がＺ軸方向を中心として回転可能なように、レジ部３を台座部２に連結する。レジ部３には、先述のように、種々の操作部が備えられているため、レジ部３が台座部２に対して回転すると、これら操作部の台座部２に対する向きが変更される。
【００３５】
図３は、第１の実施の形態におけるＰＯＳ端末装置１において、レジ部３が台座部２に対して回転する様子を示す図である。本実施の形態におけるＰＯＳ端末装置１では、営業形態（レイアウト）に応じて、作業者がレジ部３を回転させる。
【００３６】
図３に示すように、レジ部３を回転させることにより、レジ部３が備える収納部３０、ボタン群３１、ディスプレイ３２、スキャナ３３、カードリーダ３４、電子マネー読取部３５およびプリンタ３６の向きが一体的に０°から３６０°の範囲で変更される。以下の説明では、図１に示すレジ部３の回転位置（回転角が「０°」の位置）を「基準位置」と称し、レジ部３の回転角が「１８０°」のときの回転位置を「逆位置」と称する。
【００３７】
このような機能を実現する連結機構４としては、従来から様々な構造のものが提案されており、これらを適宜採用することができる。例えば、連結機構４として、代表的なターンテーブル機構を採用することができる。
【００３８】
連結機構４としては、レジ部３を単に台座部２に迎合させる構造のものでも充分に本発明の効果を奏するが、レジ部３の盗難防止の観点からすれば、レジ部３を台座部２から容易に取り外せない構造とすることが好ましい。すなわち、レジ部３のＺ軸方向を中心とした回転運動については何らの規制もしないが、レジ部３のその他の方向への運動（移動）については規制する構造が好ましい。
【００３９】
本実施の形態では、店員がＰＯＳ端末装置１を操作する営業形態（以下、「第１営業形態」と称する。）において、店員（操作者）はＰＯＳ端末装置１の（＋Ｙ）側に立ってＰＯＳ端末装置１を操作し、顧客はＰＯＳ端末装置１の（−Ｙ）側に立って代金の支払いを行う。すなわち、レジカウンターを第１営業形態で運用するとき、当該レジカウンターは操作者がＰＯＳ端末装置１の（＋Ｙ）側に立つようにレイアウトされる。したがって、作業者は、ＰＯＳ端末装置１のレジ部３が基準位置に配置されるように当該レジ部３を回転させる。
【００４０】
一方、顧客がＰＯＳ端末装置１を操作する営業形態（以下、「第２営業形態」と称する。）において、顧客（操作者）はＰＯＳ端末装置１の（−Ｙ）側に立ってＰＯＳ端末装置１を操作するとともに代金の支払いを行う。すなわち、レジカウンターを第２営業形態で運用するとき、当該レジカウンターは操作者がＰＯＳ端末装置１の（−Ｙ）側に立つようにレイアウトされる。したがって、作業者は、ＰＯＳ端末装置１のレジ部３が逆位置に配置されるように当該レジ部３を回転させる。
【００４１】
すなわち、店員がＰＯＳ端末装置１を操作する場合は、（＋Ｙ）方向からの操作がしやすい向きにレジ部３を回転させ、顧客がＰＯＳ端末装置１を操作する場合は、（−Ｙ）方向からの操作がしやすい向きにレジ部３を回転させる。
【００４２】
このように第１の実施の形態におけるＰＯＳ端末装置１は、操作者がＰＯＳ端末装置１のＹ軸方向のいずれ側に立つレイアウトにもレジ部３を回転させるだけで対応でき、ＰＯＳ端末装置１のレイアウトの汎用性が向上するとともに、レイアウトの切り替えを容易に行うことができる。
【００４３】
なお、電子マネー読取部３５は、営業形態（動作モード）に関わらず、常に、顧客によって操作されるべき操作部（図１に示す向きで使用されるべき操作部）である。しかし、第１の実施の形態における電子マネー読取部３５は、収納部３０の上部に載置されており、レジ部３を回転させると、それとともに、電子マネー読取部３５の向きも変更されてしまう。しかしながら、先述のように、第１の実施の形態における電子マネー読取部３５は収納部３０に固設されていないため、作業者はレジ部３を回転させた後、電子マネー読取部３５の向きを適切な向き（（−Ｙ）側から操作しやすい向き）に容易に調整することが可能である。
【００４４】
図２に示すように、ＰＯＳ端末装置１は、ＰＯＳ端末装置１の各構成を制御する制御部１０を内部に備えている。
【００４５】
図４は、ＰＯＳ端末装置１のバス配線図である。図４に示すように、制御部１０は、プログラムに従って動作することにより各種データの演算を行うＣＰＵ１１、プログラムや設定データ等の各種データを記憶する記憶部１２、図示しない外部の端末装置（商品データベース等を有するストアコントローラ）等との間でネットワークを介してデータ通信を行う通信部１３および位置検出センサ１４を備えている。
【００４６】
位置検出センサ１４は、台座部２とレジ部３との相対位置（レジ部３の回転角）を検出し、検出した相対位置を電気信号に変換してＣＰＵ１１に伝達する機能を有する。このような機能を実現する位置検出センサ１４としては、従来から様々なものが提案されており、これらを適宜採用することができる。例えば、台座部２に固設されたスケール部を、レジ部３に固設された光学センサで読み取ることによって実現してもよい。あるいは、レジ部３の回転位置に応じて当接する接触センサによっても実現できる。
【００４７】
ＰＯＳ端末装置１のＣＰＵ１１は、位置検出センサ１４から伝達される検出結果に応じて、「セルフモード」と「接客モード」との間で動作モードを切り替える。具体的には、レジ部３が「逆位置」と検出された場合に、ＣＰＵ１１はＰＯＳ端末装置１の動作モードを「セルフモード」に設定する。一方、レジ部３が「基準位置」と検出された場合には、ＣＰＵ１１はＰＯＳ端末装置１の動作モードを「接客モード」に設定する。
【００４８】
このように、ＰＯＳ端末装置１は、作業者がレジ部３を適切な位置に回転させると、これを位置検出センサ１４が自動的に検出し、ＣＰＵ１１が動作モードを切り替える。これにより、ＰＯＳ端末装置１に対して動作モードを切り替えるように、作業者が別途指示を与える必要がなく、作業者の負担は軽減される。
【００４９】
また、接客モードで運用すべき第１営業形態とセルフモードで運用すべき第２営業形態とを切り替える場合において、レジ部３を回転させる作業を作業者が忘却する危険性は少ないと考えられる（外見上も明確に認識できるため）。したがって、レジ部３の回転位置に応じてＣＰＵ１１が動作モードを切り替えることにより、本実施の形態におけるＰＯＳ端末装置１は、営業形態を切り替えるときに、確実に動作モードの切り替えを行うことができる。
【００５０】
本実施の形態における制御部１０（ＣＰＵ１１）は、動作モードが接客モードのとき、ボタン群３１に対する操作を有効とし、ボタン群３１が操作されることによって入力される指示情報に従って各構成を制御する。一方、制御部１０は、動作モードがセルフモードのとき、ボタン群３１に対する操作を無効とし、ボタン群３１による指示情報の入力はなかったものとして各構成を制御する。なお、動作モードが切り替えられることによって変更される制御は、ボタン群３１の有効・無効の切替制御に限定されるものではない。例えば、ディスプレイ３２に表示される画面が動作モードに応じて変更されてもよい。
【００５１】
以上のように、第１の実施の形態におけるＰＯＳ端末装置１は、連結機構４が、操作部の台座部２に対する向きを変更することが可能なように、操作部（より詳しくは操作部が設けられたレジ部３）を台座部２に連結することにより、レイアウトの汎用性が向上するとともに、レイアウトの切り替えを容易に行うことができる。
【００５２】
なお、ＰＯＳ端末装置１において、電子マネー読取部３５を収納部３０に載置するのではなく、台座部２に固定してもよい。これにより、レジ部３が回転しても電子マネー読取部３５の向きが変更されることはなくなるので、作業者の負担がさらに軽減される。
【００５３】
＜２．  第２の実施の形態＞
第１の実施の形態では、レジ部３の回転によって収納部３０の向きも変更可能なように構成されていた。しかし、例えば、現金決済を行わない販売形態を採用する場合、セルフモードにおいて、硬貨収受部３００および紙幣収受部３０１を顧客（操作者）に向けるのは、防犯上、好ましくない場合がある。すなわち、状況に応じて、ＰＯＳ端末装置が備える操作部のうち、全ての操作部について向きを変更する必要のない場合がある。
【００５４】
図５は、第２の実施の形態におけるＰＯＳ端末装置１ａを示す斜視図である。なお、第２の実施の形態におけるＰＯＳ端末装置１ａにおいて、第１の実施の形態におけるＰＯＳ端末装置１と同様の構成については、同一の符号を付し、適宜説明を省略する。また、図５において図示を省略しているが、ＰＯＳ端末装置１ａは、ＰＯＳ端末装置１の制御部１０、電子マネー読取部３５およびプリンタ３６に相当する構成を備えている。ただし、本実施の形態における電子マネー読取部３５は、収納部３０に固設されているものとする。
【００５５】
図５に示すように、第２の実施の形態におけるＰＯＳ端末装置１ａは、レジ部３の代わりにレジ部３ａを備えている点が第１の実施の形態におけるＰＯＳ端末装置１ａと異なっている。
【００５６】
レジ部３ａは、第１の実施の形態におけるレジ部３が備える構成に加えて、回転部５および連結機構６とを備えている。
【００５７】
回転部５は、ボタン群３１、ディスプレイ３２、スキャナ３３、カードリーダ３４およびプリンタ３６から構成されている。回転部５は、連結機構６によって収納部３０に連結されている。
【００５８】
連結機構６は、第１の実施の形態における連結機構４と同様に、例えば、ターンテーブル機構として形成されており、回転部５がＺ軸方向を中心として回転可能なように、回転部５を収納部３０に連結する。回転部５には、先述のように、種々の操作部（ボタン群３１、ディスプレイ３２、スキャナ３３、カードリーダ３４およびプリンタ３６）が備えられているため、回転部５が収納部３０に対して回転すると、これら操作部の台座部２に対する向きが変更される。
【００５９】
一方、レジ部３ａ（収納部３０）の下面は、台座部２の筐体２０の上面に固設されており、第２の実施の形態における収納部３０は台座部２に対して回転しない構造とされている。言い換えれば、第２の実施の形態における収納部３０は台座部２の一部を形成しているともいえる。したがって、本実施の形態における硬貨収受部３００および紙幣収受部３０１は、（−Ｙ）側に向くことはない。
【００６０】
このように、カードまたは電子マネーによる決済のみを認める営業形態では、ＰＯＳ端末装置１ａのように構成することによって、セルフモードにおいて硬貨収受部３００および紙幣収受部３０１を顧客に向けることを禁止することができる。したがって、ＰＯＳ端末装置１ａのセキュリティが向上する。
【００６１】
なお、ＰＯＳ端末装置１ａは、台座部２を備えていなくてもよい。その場合、レジ部３ａの収納部３０が本発明における台座部に相当する。すなわち、市場に流通する汎用の台に、レジ部３ａを載置して使用する形態であってもよい。
【００６２】
＜３．  変形例＞
以上、本発明の実施の形態について説明してきたが、本発明は上記実施の形態に限定されるものではなく様々な変形が可能である。
【００６３】
例えば、レジ部３（または回転部５）を回転モータ等の駆動力によって回転するように構成してもよい。その場合、作業者は、ＰＯＳ端末装置１のボタン群３１を操作することにより、レジ部３（または回転部５）を回転させる指示を入力すればよい。
【００６４】
また、上記実施の形態では、連結機構４または連結機構６のいずれかを備える構成として説明したが、これらの両方を備える構成としてもよい。
【００６５】
また、レジ部３（または回転部５）の回転範囲は、０°から３６０°に限定されるものではない。例えば、「基準位置（回転角が「０°」）」から「逆位置（回転角が「１８０°」）」の範囲でのみ回動させることが可能な機構であってもよい。
【００６６】
また、向きが変更されない操作部としては、収納部３０や電子マネー読取部３５に限定されるものではない。例えば、スキャナ３３の読み取り面が水平方向となるようにスキャナ３３を配置した場合、当該スキャナ３３に対しては（＋Ｙ）側および（−Ｙ）側のいずれからも操作可能となるため、当該スキャナ３３の向きを変更する必要はなくなる。すなわち、（＋Ｙ）側および（−Ｙ）側のいずれからも操作可能な向きに配置された操作部（操作者による操作に方向依存性のない操作部）については、向きを変更することのできない構成としてもよい。
【００６７】
また、レジ部３（回転部５）を適当な位置（接客モードまたはセルフモードにおいて使用される位置。本実施の形態では基準位置および逆位置。）に回転させた後、その位置で停止させておくためのストッパ機構を設けてもよい。例えば、ＰＯＳ端末装置１において、台座部２のＸ軸方向の両側面に雌型止め具を固設するとともに、当該雌型止め具と迎合する雄型止め具をレジ部３のＸ軸方向の両側面に固設する。そして、作業者がレジ部３を回転させる間は、これらの止め具を外しておき、基準位置あるいは逆位置にレジ部３を配置し終えたときに、これらの止め具を掛けるようにする。これにより、止め具が掛けられている間はレジ部３の回転が規制されるため、不用意にレジ部３が回転してしまうことを防止できる。
【００６８】
また、このようなストッパ機構を用いた場合、位置検出センサ１４は、ストッパ機構の状態（例えば、どの位置に設けられた雌型止め具がどの位置に設けられた雄型止め具と迎合しているか等）を判定することにより、相対位置を検出するようにしてもよい。
【００６９】
また、従来より、ＰＯＳ端末装置を店員が操作する前に、店員が所持する鍵によってＰＯＳ端末装置を施錠状態から解錠状態に変更する技術（ＰＯＳ端末装置のロック機構）が提案されている。例えば、ＰＯＳ端末装置１についてもこのようなロック機構を設け、ＰＯＳ端末装置１が解錠状態にある場合にのみ、レジ部３を回転させる作業が可能となるようにしてもよい。例えば、当該ロック機構と上記のストッパ機構とを連動させ、ロック機構が施錠状態のときにはストッパ機構が外れない（すなわちレジ部３は回転できない）ように構成してもよい。
【００７０】
また、上記実施の形態におけるＰＯＳ端末装置１，１ａは、台座部２（筐体２０）の下部に走行用の複数のキャスターを備えている。これにより、作業者は、ＰＯＳ端末装置１全体を比較的容易に移動させることが可能である。しかしながら、容易に移動させることができる構造とすることが、ＰＯＳ端末装置１，１ａの防犯上好ましくない場合は、このようなキャスターを設けないようにしてもよい。逆に、台座部２が店舗内の床面や壁面にビス等で固設される構造であってもよい。
【図面の簡単な説明】
【００７１】
【図１】第１の実施の形態におけるＰＯＳ端末装置を示す斜視図である。
【図２】ＰＯＳ端末装置の正面図である。
【図３】第１の実施の形態におけるＰＯＳ端末装置において、レジ部が台座部に対して回転する様子を示す図である。
【図４】ＰＯＳ端末装置のバス配線図である。
【図５】第２の実施の形態におけるＰＯＳ端末装置を示す斜視図である。
【符号の説明】
【００７２】
１，１ａ  ＰＯＳ端末装置
１０  制御部
１１  ＣＰＵ
１２  記憶部
１３  通信部
１４  位置検出センサ
２  台座部
２０  筐体
２１，２２  載置台
３，３ａ  レジ部
３０  収納部
３００  硬貨収受部
３０１  紙幣収受部
３１  ボタン群
３２  ディスプレイ
３３  スキャナ
３４  カードリーダ
３５  電子マネー読取部
３６  プリンタ
４，６  連結機構
５  回転部
【図１】
2010020370.tif 000003
【図２】
2010020370.tif 000004
【図３】
2010020370.tif 000005
【図４】
2010020370.tif 000006
【図５】
2010020370.tif 000007